(57)【要約】【課題】  フィルム状の太陽電池を設けたことを特徴とする太陽電池式着用品を提供する。【解決手段】  板状の本体で、その内側の上下左右に紐、またはベルトを設け、その中央にはパットを設ける、そしてその表側には太陽電池を設ける。【選択図】図１
2010007218.tif 000002
【特許請求の範囲】
【請求項１】
板状の本体で、その内側の上下左右に紐、またはベルトを設け、その中央にはパットを設ける、
そして、その表側にフィルム状の太陽電池を設けたことを特徴とする太陽電池式着用品。
【請求項２】
板状の本体の略中間辺から内側に曲がる折部を設けたことを特徴とする請求項１記載の太陽電池式着用品。
【請求項３】
板状の本体内側の中間辺と外周辺に枠を設けたことを特徴とする請求項１、２記載の太陽電池式着用品。
【請求項４】
布かビニール類を用いた本体で、その内側上下左右に紐、またはベルトを設ける、また、本体の中間辺で内側に二つ折りにして、
その二つ折りにした左右の合わせ目にチャックを設ける、
そして、その本体の表側にフィルム状の太陽電池を設けたことを特徴とする太陽電池式着用品。
【発明の詳細な説明】
【技術分野】
【０００１】  本発明は、近年開発されて来たプラスチックフィルム状の太陽電池を設けた太陽電池式着用品に関する。
【背景技術】
【０００２】  従来の太陽電池は、ガラス基板に結晶シリコン薄膜を設けたもので、重量や破損などの面から着用品などには適用が難かしかった。
【発明が解決しようとする課題】
【０００３】  デジカメや携帯電話機が普及し、ハイキングまたは旅行や出張の際或いは屋外の現場に出向して仕事をする人々には特に必需品である。
然しながら、電気の無い野山や作業現場で携帯電話機の電池が無くなり大変困ることがあった。
特に携帯電話機でテレビを見るなどすると充電池の消耗が大きく、電話が使いなくなり困ることがあった。
【課題を解決するための手段】
【０００４】  上記課題を解決するため、（略チョッキ風）で板状の本体と、その背中に当たる表側にアダプタコードを設けたフィルム状の太陽電池を設ける、又その本体の内側上下左右部に着付用の紐を設ける、ベルトなどでも良い。そして、その中央にはパットを設ける。
【発明を実施するための最良の形態】
【０００５】  本発明の実施の形態を図１〜図４について説明する。（アダプタコード、コネクタ、コンセント、プラグ）などは省略。
図１、本体１の内側に着付紐２と、その中間で横線状に折曲げ自在な折部３を設ける、そして、その中間辺と左右の外側辺に枠９を設ける、更にその中央にパット４を設ける。（パット４の形や大きさなどは任意であるが、柔軟性のものが適す）。
尚、ここでは、本体１は折曲げ自在なポリプロピレンで成型加工とする。
図２、本体１の表側にフィルム状の太陽電池５を設ける。
下側にも設けて二面にしてもよい。
図３、本体１の中間の折部３の所で、内側に二つ折りにしてバック状６を形成するようにし、留具７を設ける。
図４、本体１の中間の折部３の所で、内側に少し曲げて、おけさ笠風８にし、それを頭に載せ着付紐２を顎に結べるように設ける。【０００６】  上記、本体の材質はプラスチック以外でもよく、形状もファイル風など、或いは、円板状や、角板状などを用いて一文字笠風にしてもよく任意である。
但し、本体の材質によっては防水処理が必要である。【０００７】  本体を布やビニュール類で作る場合で、前記のように二つ折りにしてバック状にしたい時は、本体の左右にチャックを設ける、パットは不要。（図は省略）
この場合笠としては使うことが出来ない、その他に関しては前記の通り。
【発明の効果】
【０００８】  本発明は下記のように活用出来る、着用品にフィルム状の太陽電池を設けてあるので、歩行中でも高層建築の現場でも手元で、デジカメや携帯電話機などに充電が出来る非常に便利で優れた効果のある太陽電池式着用品である。
１．ハイキングや仕事中などの場合、チョッキを着るようにして前の方をヒモで結び太陽電池に日が当たるようにして用いる。
但し、太陽に向かって歩く場合は前掛けのように用いるとよい。
２．リュックサックを背負う場合は、リュックサックの上部に陽がよく当たるように結び付けて用いる。
３．また、日当りの好いところであれば、自転車上、材木上、地面、河原など何処でも利用できる、且つ、風に飛ばされないように紐で止める事が出来る。
４．折部で二つ折りにすればバックとして利用できる。紐を使ってショルダーにも手提げにもなる。
５．折部でわずかに折曲げて、おけさ笠風にして頭に着け、着付紐を顎に結び、日除け、雨除けとして用いることも出来る。
６．平面で一文字笠風の場合も、矢張り日除け、雨除けに役立つ。
７．内側中央に設けたパットは、笠として頭に着けたときに定着する。
８．本体が布かビニュール類の場合は正にチョッキ風で、バックとしても活用できる。
【図面の簡単な説明】
【０００９】
【図１】本発明品、本体１の内側で、着付紐２、折部３、パット４、及び枠９を示す平面図。
【図２】図１の表側で、太陽電池５を設けた状態を示す平面図。
【図３】本体１の折部３のところで、内側に二つ折りにしてバック状６を形成する概略斜視図。
【図４】本体１の折部３のところで、内側に少し曲げ、おけさ笠風８の状態を示す概略斜視図。
【符号の説明】
【００１０】１−本体    ２−着付紐    ３−折部    ４−パット    ５−太陽電池    ６−バック状    ７−留具    ８−おけさ笠風    ９  枠
【図１】
2010007218.tif 000003
【図２】
2010007218.tif 000004
【図３】
2010007218.tif 000005
【図４】
2010007218.tif 000006
【手続補正書】
【提出日】平成20年7月29日(2008.7.29)
【手続補正１】
【補正対象書類名】特許請求の範囲
【補正の内容】
2010007218.tif 000007
2010007218.tif 000008
【手続補正書】
【提出日】平成20年9月16日(2008.9.16)
【手続補正１】
【補正対象書類名】手続補正書
【補正対象項目名】手続補正１
【補正方法】追加
【補正の内容】
【手続補正１】
【補正対象書類名】特許請求の範囲
【補正対象項目名】全文
【補正方法】変更
【補正の内容】
【特許請求の範囲】
【請求項１】
板状の本体で、その内側の上下左右に紐、またはベルトを設け、その中央にはパットを設ける、
そして、その本体の表側にフィルム状の太陽電池を設けたことを特徴とする太陽電池式着用品。
【請求項２】
板状の本体の、中間辺から内側に曲がる折部を設けたことを特徴とする請求項１記載の太陽電池式着用品。
【請求項３】
板状の本体内側の、中間辺と外周辺に枠を設けたことを特徴とする請求項１，２記載の太陽電池式着用品。
【請求項４】
布かビニール類を用いた略板状の本体で、その内側の上下左右に紐、またはベルトを設ける、
その本体の表側にフィルム状の太陽電池を設けたことを特徴とする太陽電池式着用品。
【請求項５】
本体の中間辺で内側に二つ折りにし、その二つ折りにした左右の合わせ部に、チャックを設けることを特徴とする請求項４記載の太陽電池式着用品。
【手続補正２】
【補正対象書類名】手続補正書
【補正対象項目名】手続補正２
【補正方法】追加
【補正の内容】
【手続補正２】
【補正対象書類名】明細書
【補正対象項目名】０００７
【補正方法】変更
【補正の内容】
【０００７】本体を布やビニール類で作る場合で、前記のように二つ折りにしてバック状にしたい時は、本体左右の合わせ部にチャックを設ける、パットは不要。（図は省略）
この場合笠としては、不向きである。


【手続補正３】
【補正対象書類名】手続補正書
【補正対象項目名】手続補正３
【補正方法】追加
【補正の内容】
【手続補正３】
【補正対象書類名】明細書
【補正対象項目名】０００８
【補正方法】変更
【補正の内容】
【０００８】６．一文字笠風などの場合も、やはり日除け、雨除けとして利用出来る。
８．本体が布かビニール類の場合は、正にチョッキ風である上、バックとしても活用できる。


【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
本体の表側にフィルム状の太陽電池を設け、その内側の上下左右に着付紐、またはベルトを設ける、その中央にはパットを設けて、略チョッキ風に構成したことを特徴とする太陽電池式着用品。
【請求項２】
本体の中間辺から内側に曲がる折部を設けたことを特徴とする請求項１記載の太陽電池式着用品。
【請求項３】
本体内側の、中間辺と外周辺に枠を設けたことを特徴とする請求項１又は２記載の太陽電池式着用品。
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
本体の外側表面にフィルム状の太陽電池を設け、本体の内側の上下左右に着付紐またはベルトを設け、本体の内側の中央にパットを設け、本体の中間辺から内側に曲がる折部を設け、本体内側の外周辺および中間辺に枠を設け、本体に留具を設けることで、チョッキおよび留具式バックおよびおけさ笠に兼用することを特徴とする太陽電池式着用品
【請求項２】
本体の外側表面にフィルム状の太陽電池を設け、本体の内側の上下左右に着付紐またはベルトを設け、本体の内側の中央にパットを設け、本体の中間辺から内側に曲がる折部を設け、本体の左右にチャックを設けることで、チョッキおよびチャック式バックおよびおけさ笠に兼用することを特徴とする太陽電池式着用品。